(57)【要約】【課題】電源ソケットの占用をなくして使用上の便利性及び実用性を改善すること。【解決手段】ソケット本体、回路基板、発光ダイオード、ソケット、センサ及びカバーを備え、ソケット本体内には回路基板及びソケットが設けられ、発光ダイオードとセンサは電気的に回路基板に接続されて電気回路を形成し、ソケット本体と互いに活動的に結合されたカバー上にはソケット数に対応した開口が設けられ、ソケットをカバー上に露出させる。【選択図】図２
0003139440.tif 000002
【実用新案登録請求の範囲】
【請求項１】
内部には収容空間が設けられたソケット本体と、
前記ソケット本体の内部に設けられ、少なくとも一つの発光ダイオードが電気的に接続され、さらに電源に電気的に接続された回路基板と、
前記ソケット本体の内部に設けられかつ電源に電気的に接続された少なくとも一つのソケットと、
前記回路基板に電気的に接続され、該センサは該回路基板を介して少なくとも一つの発光ダイオードに電気的に接続され電気回路を形成するセンサと、
前記ソケット本体とは互いに活動的に結合され、前記カバーには少なくとも一つのソケットに対応して対応数量の開口が設けられたカバーとを含むことを特徴とする、
誘導灯型ソケット構造。
【請求項２】
前記センサ及び少なくとも一つの発光ダイオードは、ソケット本体の外に延び出して設けられ、前記ソケット本体内にはさらに定位板が設けられ、前記定位板は該カバーとソケット本体との間に位置され、前記定位板上にはソケットの数に対応する開口が設けられ、前記ソケットの数に対応する開口が、少なくとも一つのソケット及びカバーに設けられたソケットの数に対応する開口とは、互いに対応して配合し、前記少なくとも一つのソケットを位置決め、及び前記カバーに前記少なくとも一つのソケットを露出させることを特徴とする、請求項１に記載の誘導灯型ソケット構造。
【請求項３】
前記少なくとも一つの発光ダイオード及び前記センサは、ソケット本体の内部に設けられ、前記ソケット本体内にはさらに定位板が設けられ、前記定位板は該カバーとソケット本体との間に位置され、前記定位板上にはソケットの数に対応する開口が設けられ、前記定位板上にはさらに貫通孔が設けられ、前記ソケットの数に対応する開口が、少なくとも一つのソケット及びカバーに設けられたソケットの数に対応する開口とは、互いに対応して配合し、前記少なくとも一つのソケットを位置決め、及び前記カバーに前記少なくとも一つのソケットを露出させ、前記貫通孔は前記少なくとも一つの発光ダイオードに対応して配置され、前記カバーは透光ケースで、前記少なくとも一つの発光ダイオードの光源を透過させることを特徴とする、請求項１に記載の誘導灯付ソケット構造。
【請求項４】
前記少なくとも一つの発光ダイオード及び前記センサは、ソケット本体の内部に設けられ、前記ソケット本体内にはさらに定位板が設けられ、前記定位板は該カバーとソケット本体との間に位置され、前記定位板上にはソケットの数に対応する開口が設けられ、前記ソケットの数に対応する開口が、少なくとも一つのソケット及びカバーに設けられたソケットの数に対応する開口とは、互いに対応して配合し、前記少なくとも一つのソケットを位置決め、及び前記カバーに前記少なくとも一つのソケットを露出させ、前記定位板にはさらに貫通孔が設けられ、前記貫通孔は前記少なくとも一つの発光ダイオードに対応して配置され、前記少なくとも一つの発光ダイオードの光源を透過させ、前記カバーにおいて前記少なくとも一つの発光ダイオードに対応するところに貫通孔が設けられ、前記貫通孔は透光カバーを対応して設け、少なくとも一つの発光ダイオードの光源を透過させ、前記カバーには別に貫通孔が設けられ、前記貫通孔はセンサに対応して設けられ、前記カバーに前記センサを露出させることを特徴とする、請求項１に記載の誘導灯付ソケット構造。
【請求項５】
前記少なくとも一つの発光ダイオードは、ソケット本体の内部に設けられ、前記カバーは透光ケースであることを特徴とする請求項１に記載の誘導灯付ソケット構造。
【請求項６】
前記少なくとも一つの発光ダイオード及びセンサは、ソケット本体の内部に設けられ、前記カバーは透光ケースであり、前記カバーにおいて前記センサに対応するところに貫通孔が設けられ、前記カバーに前記センサを露出させることを特徴とする、請求項１に記載の誘導灯付ソケット構造。
【請求項７】
前記少なくとも一つの発光ダイオードは、ソケット本体の内部に設けられ、前記カバーにおいて前記少なくとも一つの発光ダイオードに対応するところに貫通孔が設けられ、前記貫通孔は透光カバーを対応して設け、少なくとも一つの発光ダイオードの光源を透過させることを特徴とする、請求項１に記載の誘導灯型ソケット構造。
【請求項８】
前記センサはソケット本体の内部に設けられ、前記カバーにおいて前記センサに対応するところに貫通孔が設けられ、前記カバーに前記センサを露出させることを特徴とする、請求項１に記載の誘導灯型ソケット構造。
【請求項９】
前記少なくとも一つの発光ダイオードは、ソケット本体の外に延び出して設けられることを特徴とする、請求項１に記載の誘導灯型ソケット構造。
【請求項１０】
前記センサは、ソケット本体の外に延び出して設けられることを特徴とする、請求項１に記載の誘導灯型ソケット構造。
【考案の詳細な説明】
【技術分野】
【０００１】
本考案は、誘導灯型ソケット構造に係わり、特に、ソケット本体、回路基板、少なくとも一つの発光ダイオード、少なくとも一つのソケット、センサ、及びカバーを備える組合設計で、ここで、該回路基板は電源に電気的に接続され、且つ、該回路基板は該少なくとも一つの発光ダイオードに電気的に接続され、該回路基板はさらに該センサに電気的に接続され、該センサは回路基板を介して該少なくとも一つの発光ダイオードに電気的に接続され、よって、電気回路を形成し、ソケットまたは類似構造に適応できる誘導灯型ソケット構造（電源コンセント）に関するものである。
【背景技術】
【０００２】
一般には、市場に見られる誘導灯は、その大半が壁の電源ソケット内に差し込まれている。
その使用方式については、使用者が環境ニーズに応じて誘導灯のスイッチを制御し、或いは、誘導灯上にセンサを設け、センサにより周囲の輝度及び明暗を検出してから誘導灯を自動的に開閉する。
【０００３】
しかしながら、該誘導灯はともに単独に使用され、すなわち、該誘導灯自体にはプラグを設ける必要があり、また壁には誘導灯の電源として誘導灯を差し込むための電源ソケットが必要であるので、該誘導灯を差し込む時に使用可能な電源ソケットを探す必要がある。
且つ、電源ソケットに誘導灯が差し込まれた一つのソケットは使用ができなくなり、他の電気設備を使用する上で不便となる。
また、従来の誘導灯内に伝統な電球を使用する場合が多く、伝統な電球はその使用寿命が発光ダイオードより低くかつ電力消費をし易い。
【０００４】
本考案は以上の点に鑑み、緊急照明の機能を有することの外に、電源ソケットを占用しない誘導灯型ソケット構造を提供することにある。
【考案の開示】
【考案が解決しようとする課題】
【０００５】
本考案の主な目的は、ソケット本体、回路基板、少なくとも一つのソケット、少なくとも一つの発光ダイオード、センサおよびカバーを設ける組合設計によるものである。ここで、該ソケット本体内に回路基板が設けられ、該回路基板は電源に電気的に接続され、且つ、該回路基板は少なくとも一つの発光ダイオードに電気的に接続され、該回路基板はさらに該センサに電気的に接続され、該センサは該回路基板を介して少なくとも一つの発光ダイオードに電気的に接続され電気回路を形成し、センサで周囲の輝度が足りないと検出した時に、少なくとも一つの発光ダイオードを誘導灯の照明用ランプとして使用し、誘導灯が電源ソケット構造内に結合されるため、使用する際に別に電源ソケットを探す必要はなく、且つ現有の電源ソケットの位置を占用し他の電気設備の不便になることを無くし、また、発光ダイオードを誘導灯の光源とするため、照明を提供できるだけでなく、使用寿命がより長くかつ実施し易く、より好ましい使用上の便利性及び実用性を有する誘導灯型ソケット構造を提供することにある。
【０００６】
本考案の他の目的は、該少なくとも一つの発光ダイオードが、該ソケット本体内部の回路基板上に設けられ、或いは該ソケット本体の外に延び出して設けられ、全体の実用性及び便利性を向上できる誘導灯型ソケット構造を提供することにある。
【課題を解決するための手段】
【０００７】
前記目的を達成すため、本考案は、ソケット本体、回路基板、少なくとも一つの発光ダイオード、少なくとも一つのソケット、センサ及びカバーを備える。該ソケット本体内は収容空間を設置し、該回路基板は該ソケット本体の内部に設けられ、該回路基板には少なくとも一つの発光ダイオードが電気的に接続され、該回路基板は電源に電気的に接続され、少なくとも一つのソケットは該ソケット本体の内部に設けられ、該少なくとも一つのソケットは電源に電気的に接続され、該センサは該ソケット本体の内部に設けられ、該センサは該回路基板に電気的に接続され、該センサは該回路基板を介して少なくとも一つの発光ダイオード及び電源に電気的に接続され電気回路を形成し、該カバーがソケット本体とは互いに活動的に結合され、該カバーには少なくとも一つのソケットに対応して対応数量の開口が設けられ、以上のようにして、誘導灯型ソケット構造を形成し、使用上の実用性及び便利性を有する。
【考案の効果】
【０００８】
本考案は、センサで周囲の輝度が足りないと検出した時に、少なくとも一つの発光ダイオードを誘導灯の照明用ランプとして使用するので、別途に誘導灯や電源ソケットを設置する必要がなくなる。
また電源ソケットを占用せずに済み、他の電気設備を電気的に差し込み易く、使用上の便利性及び実用性を向上できる。
発光ダイオードを使用するので、伝統な電球と比べて使用寿命や電力消費の面で優れておりその実用性及び便利性を向上できる。
【考案を実施するための最良の形態】
【０００９】
以下に図面を参照しながら本考案の実施例について説明する。
図１〜図３を参照すると、本考案に係る誘導灯型ソケット構造は、ソケット本体１０、回路基板２０、少なくとも一つのソケット４０、センサ５０、及びカバー６０を備える。
【００１０】
該ソケット本体１０内には収容空間を形成する。
【００１１】
該回路基板２０は、該ソケット本体１０の内部に設けられる。該回路基板２０は電源７０に電気的に接続される。該回路基板２０には電源回路及び制御回路が設けられる。該回路基板２０は少なくとも一つの発光ダイオード３０に電気的に接続される。少なくとも一つの発光ダイオード３０は該回路基板２０に設けられる。
実際に使用する際に、該少なくとも一つの発光ダイオード３０は、配置要求に応じて該ソケット本体１０の収容空間内のあらゆるところに設けられ、或いは該少なくとも一つの発光ダイオード３０は該ソケット本体１０の外に延び出して設けられ、さらに該回路基板２０に電気的に接続されることができる。
【００１２】
少なくとも一つのソケット４０は、該ソケット本体１０の内部に設けられる。該少なくとも一つのソケット４０は電源７０に電気的に接続される。
本実施例では、該ソケット本体１０内に二つのソケット４０が設けられ、実際に使用する際に、該少なくとも一つのソケット４０は、配置要求に応じて該ソケット本体１０の収容空間内のあらゆるところに設けられ、電源７０に電気的に接続されることができる。
【００１３】
該センサ５０は該回路基板２０に電気的に接続される。該センサ５０は回路基板２０を介して少なくとも一つの発光ダイオード３０及び電源７０に電気的に接続され電気回路を形成する。
本実施例では、該センサ５０がソケット本体１０内の回路基板に設けられ、実際に使用する際に、該センサ５０は、配置要求に応じて該ソケット本体１０の収容空間内のあらゆるところに設けられ、或いは、該ソケット本体１０の外に延び出して設けられ、且つ、回路基板２０に電気的に接続されることができる。
【００１４】
該カバー６０がソケット本体１０とは互いに活動的に結合される。該カバー６０には少なくとも一つのソケット４０に対応して対応数量の開口６１が設けられる。該ソケット本体１０内にさらに定位板１１が設けられる。
該定位板１１は、実際使用する際に設けなくても良い。
この場合、少なくとも一つの発光ダイオード３０がソケット本体１０の内部に設けられる。
該カバー６０は透光ケースで、該少なくとも一つの発光ダイオード３０の光源を透過させる。
また、該カバー６０は非透光材で、該カバー６０において該少なくとも一つの発光ダイオード３０に対応するところに貫通孔６２が設けられる。
該貫通孔６２は透光カバー６３を対応して設け、該少なくとも一つの発光ダイオード３０の光源を透過させることもできる。
また、該カバー６０がソケット本体１０の内部に設けられ、該カバー６０において該センサ５０に対応するところに貫通孔６４が設けられる。該カバー６０に該センサ５０を露出させる。
該定位板１１は該カバー６０とソケット本体１０との間に位置される。
該定位板１１上にはソケット４０の数に対応する開口１１１が設けられる。
ソケット４０の数に対応する開口１１１が、該少なくとも一つのソケット４０及び該カバー６０に設けられたソケット４０の数に対応する開口６１とは、互いに対応して配合し、該少なくとも一つのソケット４０を位置決め、及び該カバー６０に該少なくとも一つのソケット４０を露出させる。
本実施例では、該定位板１１はソケット本体１０内に設けられた二つのソケット４０に対応して二つの開口１１１が設けられ、該カバー６０も二つのソケット４０に対応して二つの開口６１が設けられる。
また、該少なくとも一つの発光ダイオード３０はソケット本体１０の内部に設けられ、該定位板１１上に該少なくとも一つの発光ダイオード３０に対応するところに貫通孔１１２が設けられる。
この時に、該カバー６０は透光ケースで、該少なくとも一つの発光ダイオード３０の光源を透過させる。
或いは、該カバー６０は非透光材で、該カバー６０に貫通孔６２が設けられ、該貫通孔６２は該定位板１１の貫通孔１１２に互いに対応して配合する。
さらに該少なくとも一つの発光ダイオード３０の光源転送方向に対応して配置する。
該貫通孔６２は透光カバー６３を設け、該少なくとも一つの発光ダイオード３０の光源を透過させることもできる。
また、該センサ５０がソケット本体１０内に設けられ、該カバー６０において該センサ５０に対応するところに貫通孔６４が設けられ、該カバー６０に該センサ５０を露出させる。
【００１５】
該回路基板２０は、二つのソケット４０の間に設けられる。
実際使用する際に、該回路基板２０は、配置要求に応じて該ソケット本体１０の収容空間内のあらゆるところに設けられることができる。
該ソケット本体１０上に開口１０１が設けられる（図３参照）。
該回路基板２０及び少なくとも一つのソケット４０を電源７０に電気的に接続させる。
本実施例では、該定位板１１の両端に結合孔１１３がそれぞれ設けられる。
該ソケット本体１０の両端には結合部１０２がそれぞれ設けられる。
各結合部１０２は結合孔を設け、該ソケット本体１０内の両端の結合部１０２は、該定位板１１の二つの結合孔１１３にそれぞれ合わせ、該定位板１１の結合孔１１３内にボルトを通過させた後に、さらに該ソケット本体１０内の結合部１０２の結合孔内に挿入し固定結合させる。
以上のようにして、誘導灯型ソケットを形成する。
【００１６】
図１〜図５に示すよう、本考案に係る誘導灯型ソケットは、ソケット本体１０、回路基板２０、少なくとも一つの発光ダイオード３０、少なくとも一つのソケット４０、センサ５０及びカバー６０を組み合わせたものである。
誘導灯型ソケットは、壁上における室内配電のソケット位置に設けられる。
該ソケット本体１０内に回路基板２０が設けられる。該回路基板は電源７０に電気的に接続される。該回路基板２０が少なくとも一つの発光ダイオード３０に電気的に接続される。またセンサ５０に電気的に接続されたセンサ５０は回路基板２０を介して少なくとも一つの発光ダイオード３０に電気的に接続されて電気回路を形成する。
これによって、センサ５０で周囲の輝度が足りないと検出した時には、少なくとも一つの発光ダイオード３０を誘導灯の照明用ランプとして使用し、別途に一組の誘導灯及び電源ソケットを設置する必要がなくなる。
且つ現有の電源ソケットの位置を占用せず、他の電気設備を電気的に差し込み易く、使用上の便利性及び実用性を向上できる。
また、図５には発光ダイオード３０をソケット本体１０の外に延出した他の実施例を示す。
少なくとも一つの発光ダイオード３０をソケット本体１０の外に設ける。
さらに少なくとも一つの発光ダイオード３０を回路基板２０に電気的に接続させる。該センサ５０はソケット本体１０の内部に設けられる。該カバー６０において該センサ５０に対応するところに貫通孔６４が設けられる。該カバー６０に該センサ５０を露出させる。
実際使用する際には、該センサ５０は少なくとも一つの発光ダイオード３０に従ってソケット本体１０の外部に設けられても良い（図示せず）。
したがって、使用者が必要とする位置に応じて少なくとも一つの発光ダイオード３０を装着できて、その実用性及び便利性をさらに向上させることができる。
【００１７】
以上の記載は、単に本考案の好ましい実施例の記載に過ぎず、本考案の特徴を限定するものではなく、当該技術分野における通常の知識を有する者が適宜行なう変換や修飾等も本考案に含まれるべきことはいうまでもないことである。
【図面の簡単な説明】
【００１８】
【図１】本考案に係る実施例の斜視外観図である。
【図２】本考案に係る実施例の素子分解図である。
【図３】本考案に係る実施例の結合を示す断面図である。
【図４】本考案に係る実施例の使用を示す図である。
【図５】本考案に係る他の実施例の使用を示す図である。
【符号の説明】
【００１９】
１０・・・・・・ソケット本体
１０１・・・・・開口
１０２・・・・・結合部
１１・・・・・・定位板
１１１・・・・・開口
１１２・・・・・貫通孔
１１３・・・・・結合部
２０・・・・・・回路基板
３０・・・・・・発光ダイオード
４０・・・・・・ソケット
５０・・・・・・センサ
６０・・・・・・カバー
６１・・・・・・開口
６２・・・・・・貫通孔
６３・・・・・・透光カバー
６４・・・・・・貫通孔
７０・・・・・・電源
【図１】
0003139440.tif 000003
【図２】
0003139440.tif 000004
【図３】
0003139440.tif 000005
【図４】
0003139440.tif 000006
【図５】
0003139440.tif 000007
【手続補正書】
【提出日】平成19年11月21日(2007.11.21)
【手続補正１】
【補正対象書類名】実用新案登録請求の範囲
【補正対象項目名】請求項１
【補正方法】変更
【補正の内容】
【請求項１】
内部には収容空間が設けられたソケット本体と、
前記ソケット本体の内部に設けられ、少なくとも一つの発光ダイオードが電気的に接続され、さらに電源に電気的に接続された回路基板と、
前記ソケット本体の内部に設けられかつ電源に電気的に接続された少なくとも一つのソケットと、
前記回路基板に電気的に接続され、該回路基板を介して少なくとも一つの発光ダイオードに電気的に接続され電気回路を形成するセンサと、
前記ソケット本体とは互いに活動的に結合され、少なくとも一つのソケットに対応して対応数量の開口が設けられたカバーとを含むことを特徴とする、
誘導灯型ソケット構造。